(57)【特許請求の範囲】
【請求項１】
毛髪化粧料の吐出用開口部を有する複数の櫛歯が列設したブラシ部、及び毛髪化粧料の吐出用開口部を毛髪化粧料収容容器に連結するための通液路が内部に形成された連結部からなり、櫛歯の外形がブラシ部基面側で幅広く、櫛歯の先端部側で幅狭い三角状であり、毛髪化粧料の吐出用開口部が櫛歯のブラシ部基面側端部から櫛歯の先端部近傍に至るスリット状であり、ブラシ部基面の櫛歯間に凸部が形成されている毛髪化粧料塗布用ブラシ。
【請求項２】
毛髪化粧料のスリット状の吐出用開口部のブラシ部基面側の開口端が、ブラシ部基面の櫛歯間に形成されている凸部の頂部である請求項１記載の毛髪化粧料塗布用ブラシ。
【請求項３】
ブラシ部基面の櫛歯間に形成されている凸部が、該ブラシ部基面の中央部が櫛歯の先端側に突出してなる請求項１又は２記載の毛髪化粧料塗布用ブラシ。
【発明の詳細な説明】
【０００１】
【発明の属する技術分野】
本発明は、染毛剤等の毛髪化粧料を髪全体に塗布するために好適なブラシに関する。
【０００２】
【従来の技術】
従来、染毛剤等の毛髪化粧料の吐出孔を形成した櫛歯を列設させたブラシ部を、毛髪化粧料の収容容器に装着した毛髪化粧料塗布用ブラシが知られている。この場合、櫛歯の内部には、毛髪化粧料の収容容器と櫛歯の吐出孔とを連通させる通液路が形成されている。そこで、この毛髪化粧料塗布用ブラシによれば、毛髪化粧料の収容容器を押圧することにより櫛歯の吐出孔から毛髪化粧料を吐出させ、毛髪化粧料を髪に塗布しつつ髪を梳くことができるので、毛髪化粧料の収容容器とブラシが別体になっている場合に比して、容易に毛髪化粧料を髪に塗布することができる。
【０００３】
【発明が解決しようとする課題】
しかしながら、従来の毛髪化粧料塗布用ブラシでは、毛髪化粧料が専ら櫛歯の吐出孔近傍に保持され、櫛歯間全体には保持されないので、毛髪化粧料を櫛歯間に十分に保持し、髪全体に効率よく塗布することができない。
【０００４】
また、染毛剤に使用される染料の種類によっては、頭皮への着剤を極力避けなければならない一方、毛髪の根元までしっかり染毛するという相反する要請がある。その結果、毛髪化粧料塗布用ブラシは、頭皮への着剤防止よりも毛髪の根元までの染まりを優先させるか、あるいは毛髪の根元の染まりを犠牲にして頭皮への着剤を防止するかのいずれかとなっており、頭皮への着剤防止と毛髪の根元までの染まりの双方を満足させるものとはなっていない。
【０００５】
これに対し、本発明は、染毛剤等の毛髪化粧料を、櫛通り感よく、毛髪の根元を含む髪全体にむらなく塗布することができ、かつ頭皮への毛髪化粧料の着剤も低減させることのできる毛髪化粧料塗布用ブラシを提供することを目的とする。
【０００６】
【課題を解決するための手段】
本発明者は、毛髪化粧料を収容する容器に、毛髪化粧料を吐出する櫛歯からなるブラシ部を装着した毛髪化粧料塗布ブラシにおいて、櫛歯に通液路と吐出孔を設けることに代えて、スリット状の開口部を設けると、櫛歯間全体で毛髪化粧料を保持することが可能となり、また、ブラシ部基面の櫛歯間に凸部を形成すると、髪を梳く間に毛髪化粧料が櫛歯間の外に不要に押し出されることを防止でき、これによって一層櫛歯間に毛髪化粧料を保持し易くなり、毛髪化粧料を髪全体に効率よく塗布できることを見出した。
【０００７】
即ち、本発明は、毛髪化粧料の吐出用開口部を有する複数の櫛歯が列設したブラシ部、及び毛髪化粧料の吐出用開口部を毛髪化粧料収容容器に連結するための通液路が内部に形成された連結部からなり、櫛歯の外形がブラシ部基面側で幅広く、櫛歯の先端部側で幅狭い三角状であり、毛髪化粧料の吐出用開口部が櫛歯のブラシ部基面側端部から櫛歯の先端部近傍に至るスリット状であり、ブラシ部基面の櫛歯間に凸部が形成されている毛髪化粧料塗布用ブラシを提供する。
【０００８】
【発明の実施の形態】
以下、図面を参照しつつ、本発明を詳細に説明する。なお、各図中、同一符号は、同一又は同等の構成要素を表している。
【０００９】
図１は、本発明の一実施例の毛髪化粧料塗布用ブラシ１の斜視図（同図（ａ））、ブラシ部の長手方向の断面図（同図（ｂ））及び横断面図（同図（ｃ））である。
【００１０】
この毛髪化粧料塗布用ブラシ１は、容器２、複数の櫛歯３が列設したブラシ部４、及び容器２とブラシ部４を連結する連結部５からなっている。
【００１１】
容器２は、染毛剤、整髪剤等の毛髪化粧料を収容するもので、押圧により毛髪化粧料を押し出すことのできる可撓性材料からなっている。
【００１２】
可撓性材料としては、例えば、特開２０００−１６４７０号に開示されているような、可撓性外側層と、その外側層に剥離自在に積層された内側層からなるものを使用し、容器の押圧後に空気を外側層と内側層との間に導入し、外側層を押圧前の形状に復元させつつ内側層を剥離させて収縮変形させるものが好ましい。これにより、ディップチューブが不要となり、また、容器２を正立させても倒立させても使用することが可能となる。この他、容器２は、毛髪化粧料をエアゾールとして吐出させるものでもよい。
【００１３】
櫛歯３は、その外形がブラシ部基面６側で幅広く、櫛歯３の先端部７側で幅狭い三角状となっている。ここで、櫛歯３の外形が三角状であるとは、櫛歯３の平面形状が厳密な意味で三角形であることを意味するものではない。図１（ｃ）に示したように、櫛歯３の先端部７側の開き角θ１をブラシ部基面６側の開き角θ２よりも小さくすることができる。このように先端部７の開き角θ１を小さく形成し、櫛歯３の先端部７を細くすることにより、髪を梳きやすくなり、かつブラシ部基面６側を幅広くすることにより櫛歯間の毛髪化粧料の保持性を向上させることができる。また、櫛歯３の先端部７を、丸みを持たせたＲ形状としてもよい。これにより、櫛通感を向上させることができる。
【００１４】
櫛歯３には、毛髪化粧料の吐出用開口部８が櫛歯３のブラシ部基面６側端部から櫛歯３の先端部７近傍にまでスリット状に形成されている。
【００１５】
図３（ｃ）に示すように、櫛歯３Ｙに、櫛歯内部を通る通液路９と吐出孔１０を形成し、容器から押し出された毛髪化粧料が通液路９を通って吐出孔１０から吐出されるようにすると、毛髪化粧料が細い通液路９を通らなければならないので、毛髪化粧料を吐出させるために相当の力が必要となるが、スリット状の開口部８を形成することにより、より少ない力で毛髪化粧料を吐出させることが可能となり、高粘度の毛髪化粧料も含めた幅広い剤に対応できるようになる。また、図３（ｃ）に示すように吐出孔１０を形成すると、髪Ｈに対して櫛歯３Ｙを矢印方向に動かして髪Ｈを梳く間に、毛髪化粧料は、櫛歯間のブラシ部基面６側の広い領域では保持されにくく、専ら吐出孔１０の周りの領域Ａに保持されるので、毛髪化粧料の塗布効率が低くなる。
【００１６】
これに対して、上述のようにブラシ部基面６側端部から櫛歯３の先端部７近傍にかけて櫛歯３にスリット状の開口部８を形成すると、開口部８から吐出した毛髪化粧料が横方向（髪を梳く方向）に広がり、櫛歯間全体で保持されるので、効率的に毛髪化粧料の塗布を行うことができる。また、図３（ｃ）に示した吐出孔１０に代えてスリット状の開口部８を形成することにより、櫛歯３の洗浄も容易となる。
【００１７】
なお、本発明において、毛髪化粧料の吐出用開口部８が櫛歯３の先端部７の近傍にまで形成されているとは、この開口部８の先端と櫛歯３の先端との距離Ｌ１が２．５ｍｍ以下であることをいう。この距離Ｌ１は、櫛歯３間の全領域で毛髪化粧料が保持されるようにするという点と、頭皮への毛髪化粧料の付着を防止するという点のバランスから、０．５〜２．０ｍｍとすることが好ましい。
【００１８】
開口部８の形状は、当該ブラシに適用する毛髪化粧料の粘度等により適宜変えることが好ましい。例えば、毛髪化粧料の粘度が高い場合には、ブラシ部基面６側で幅広く、櫛歯３の先端部７側で幅狭い、櫛歯３の外形とほぼ同様の略三角形状とすることが好ましい。また、毛髪化粧料の粘度が低い場合には、毛髪化粧料の粘度が高い場合よりもブラシ部基面６側の開口部８の幅を狭めることが好ましく、ブラシ部基面６側から開口部８の先端の近傍までほぼ同一幅としてもよい。開口部８をこのように毛髪化粧料の粘度等に応じた形状にすることにより、より一層毛髪化粧料の塗布効率を向上させることができる。
【００１９】
本発明において、上述した開口部８は、全ての櫛歯３に設けることが好ましい。これにより、全ての櫛歯３間に毛髪化粧料を吐出させ、各櫛歯間の広い領域に毛髪化粧料を保持させて塗布することができるので、塗布作業の効率を向上させることができる。
【００２０】
ブラシ部基面６の櫛歯３間には、櫛歯の先端部７側に突出した凸部１１が形成されている。図３（ｂ）のように櫛歯３Ｘ間に凸部１１を形成しない場合には、髪Ｈに対して櫛歯３Ｘを矢印方向に動かして髪を梳く間に、櫛歯３Ｘ間に保持された毛髪化粧料の一部が櫛歯３Ｘ間の外側の領域Ｂに押し出され、押し出された毛髪化粧料が不用な部分に付着するという２次的な汚れの問題が生じやすいが、図３（ａ）のように櫛歯３間に凸部１１を形成することにより、櫛歯３を矢印方向に梳く間に、毛髪化粧料の一部が櫛歯３間の外に不要に押し出されることを防止し、その分を櫛歯３内の領域Ｃ、Ｄに保持させることができる。したがって、不用な部分への毛髪化粧料の付着を防止することができる。
【００２１】
凸部１１の大きさは、ブラシ部基面６の端部からの高さＬ２を櫛歯３の有効長Ｌ３の２／１０〜３．５／１０とし、凸部１１の頂部の幅Ｌ４をブラシ部基面６の幅Ｌ５の１／１０〜３．５／１０とすることが好ましく、特に頂部の幅Ｌ４を１ｍｍ以上とすることがより好ましい。凸部の高さＬ２が低すぎると、凸部１１の形成効果がなく、高すぎると櫛歯３間に毛髪化粧料を保持できる領域が過度に狭くなる。一方、凸部１１の頂部の幅Ｌ４が小さすぎると凸部１１の強度不足により髪を梳く間に凸部１１が折れてしまい、幅Ｌ４が大きすぎると、櫛歯３間で毛髪化粧料を保持できる領域Ｃ、Ｄ（図３（ａ）参照）が過度に狭くなる。
【００２２】
櫛歯３の間の隙間の間隔Ｌ６は、狭すぎると部分染め等の用途には適するが、髪全体への毛髪化粧料の塗布には適さないので、１．５〜２．５ｍｍとすることが好ましい。
【００２３】
一方、連結部５は、その内部に毛髪化粧料の通液路１２が形成されており、櫛歯３に形成されている吐出用開口部８と容器２とを連結させ、容器２内の毛髪化粧料を櫛歯３から吐出させることを可能とする。連結部５は、容器２と一体的に形成してもよいが、別部材としてもよい。また、連結部５とブラシ部４とは、図２に示したように、両者を着脱自在とすることが部材の成形上好ましい。
【００２４】
通液路１２のブラシ部４側の端部には分岐路１３を設け、一方、ブラシ部基面６下には各吐出用開口部８を連通させる連通路１４を設け、連結部５の分岐路１３とブラシ部基面６下の連通路１４とを連通させてもよく、また、図４に示すように、各櫛歯３の吐出用開口部８の形成位置に対応して分岐路１３を設け、分岐路１３と吐出用開口部８とを直接連通させてもよい。このように分岐路１３を設けることにより、全ての櫛歯３の開口部８において、毛髪化粧料が櫛歯３の先端部７に向かう流れを作り出すことが可能となり、一様な量の毛髪化粧料を吐出させることが可能となる。これに対し、連結部５の通液路１２から櫛歯３の開口部８に直接的に毛髪化粧料を送り出すと、全ての櫛歯３の開口部８から毛髪化粧料を一様な量で吐出させることが難しい。
【００２５】
また、吐出用開口部８から吐出される毛髪化粧料の量を全ての櫛歯３で等しくするため、図２に示すように、分岐路１３の開口度は容器２の口部から離れるほど拡げることが好ましい。
【００２６】
以上、図面に基づいて本発明の毛髪化粧料塗布用ブラシを説明したが、本発明はさらに種々の態様をとることができる。
【００２７】
例えば、開口部８から吐出される毛髪化粧料の量を全ての櫛歯３で等しくするために、ブラシ部基面６側から櫛歯３の先端部７に至る開口部８の長さＬ７を、容器１に遠い櫛歯３ほど長く（即ち、凸部の高さＬ２を短く）してもよく、あるいは、ブラシ部基面６側から櫛歯３の先端部に至る開口部の幅を、容器１に遠い櫛歯３ほど広くしてもよい。
【００２８】
【発明の効果】
本発明の毛髪化粧料塗布用ブラシによれば、櫛歯間全体に毛髪化粧料を保持し、髪全体にむらなく、効率的に塗布することができる。このため、長い髪であっても、毛髪化粧料の全体的な塗布を容易に行うことが可能となる。また、本発明によれば、頭皮への毛髪化粧料の付着を低減させることができ、良好な櫛通り感を得ることができる。
【図面の簡単な説明】
【図１】  本発明の毛髪化粧料塗布用ブラシの斜視図（同図（ａ））、ブラシ部の長手方向の断面図（同図（ｂ））及び横断面図（同図（ｃ））である。
【図２】  ブラシ部と連結部を外した状態の毛髪化粧料塗布用ブラシの斜視図である。
【図３】  櫛歯の作用の説明図である。
【図４】  ブラシ部の長手方向の断面図である。
【符号の説明】
１    毛髪化粧料塗布用ブラシ
２    容器
３    櫛歯
４    ブラシ部
５    連結部
６    ブラシ部基面
７    櫛歯の先端部
８    開口部
９    通液路
１０    吐出孔
１１    凸部
１２    通液路
１３    分岐路
１４    連通路
【図１】
0004513211.tif 000002
【図２】
0004513211.tif 000003
【図３】
0004513211.tif 000004
【図４】
0004513211.tif 000005